(57)【要約】【課題】可動レンズ群間に反射面を設けた光学系を駆動するレンズ駆動装置及びファインダを提供する。【解決手段】直進移動可能な部材であって、第１可動レンズＬ１を駆動する第１カム部３０ａを有したファインダカム３０を備え、ファインダカムの移動量は、第２可動レンズＬ２の移動量と等価又は比例関係にあるようにする。このようにすることにより、ファインダカム３０の動作により、動作方向の異なる第１可動レンズＬ１及び第２可動レンズＬ２を正確に連動させることができ、薄型のファインダとすることができる。【選択図】                図７
2004212708.tif 000002
【特許請求の範囲】
【請求項１】
第１光軸を有し、前記第１光軸に略沿った方向に移動可能な第１可動レンズと、
前記第１可動レンズの光軸に対して角度を有して略交差する第２光軸を有し、前記第２光軸に略沿った方向に移動可能な第２可動レンズと、
直進移動可能な部材であって、前記第１可動レンズを駆動するカム部を有したカム部材と、を備え、
前記カム部材の移動量は、前記第２可動レンズの移動量と等価又は比例関係にあること、を特徴とするレンズ駆動装置。
【請求項２】
請求項１に記載のレンズ駆動装置において、
前記カム部材は、前記第２可動レンズの移動方向に対して傾斜した斜面を有し、
前記第２可動レンズを前記斜面に対して付勢する弾性部材を有すること、を特徴とするレンズ駆動装置。
【請求項３】
請求項１に記載のレンズ駆動装置において、
前記第２可動レンズを前記第２可動レンズの移動方向に対して角度を持って前記カム部材に付勢する弾性部材を有すること、を特徴とするレンズ駆動装置。
【請求項４】
請求項１から請求項３までのいずれか１項に記載のレンズ駆動装置において、
前記第２可動レンズの光軸方向への移動を案内すると共に、前記カム部材の移動をも案内するガイド軸を有すること、を特徴とするレンズ駆動装置。
【請求項５】
請求項１から請求項４までのいずれか１項に記載のレンズ駆動装置において、
前記第２可動レンズを前記カム部材に対して付勢する弾性部材は、一端が前記第２可動レンズに支持され、もう一端が前記カム部材に支持されているばね部材であること、
を特徴とするレンズ駆動装置。
【請求項６】
撮影光学系の撮影範囲に対応した範囲を観察するファインダであって、
請求項１から請求項５までのいずれか１項に記載のレンズ駆動装置と、
前記第１可動レンズ及び前記第２可動レンズを通過した像を観察可能にする接眼レンズと、を備えるファインダ。
【請求項７】
請求項６に記載のファインダにおいて、
前記レンズ駆動装置は、前記撮影光学系を駆動する駆動モータと連動可能であって、
前記第２可動レンズの移動量と前記駆動モータの回転数とは、比例関係にあること、を特徴とするファインダ。
【請求項８】
請求項６又は請求項７に記載のファインダにおいて、
前記カム部材は、前記撮影光学系の直進運動に連動する直進連動部材と係合して前記カム部材を駆動する第２カム部を有すること、を特徴とするファインダ。
【請求項９】
請求項６から請求項８までのいずれか１項に記載のファインダにおいて、
前記カム部材は、前記第２可動レンズとの結合部を有する第２カム部材と、
前記カム部を有し前記第２カム部材に対して相対移動可能な第１カム部材と、を有し、
前記第１カム部材の前記相対移動方向は、前記第１可動レンズの移動方向及び／又は前記第２可動レンズの移動方向に沿って移動可能であること、を特徴とするファインダ。
【請求項１０】
請求項９に記載のファインダにおいて、
前記第１カム部材と前記第２カム部材との相対移動は、前記第１カム部材と前記第２カム部材との間に設けられた偏芯ピンの回転により行われること、を特徴とするファインダ。
【請求項１１】
請求項６から請求項９までのいずれか１項に記載のファインダにおいて、
前記カム部材は、前記第２可動レンズとの結合部を有する第２カム部材と、
前記カム部を有し、前記第２カム部材に対して相対移動可能な第１カム部材と、を有し、
前記第１カム部材の移動量と前記第２カム部材との移動量が異なるように連動させるカム連動部材を有すること、を特徴とするファインダ。
【請求項１２】
請求項１１に記載のファインダにおいて、
前記第１カム部材の移動量と前記第２カム部材の移動量が比例関係にあること、を特徴とするファインダ。
【発明の詳細な説明】
【０００１】
【発明の属する技術分野】
本発明は、複数のレンズを駆動するレンズ駆動装置及びファインダに関し、特に、可動する複数のレンズの各光軸が交差するように配置されているレンズ駆動装置及びファインダに関するものである。
【０００２】
【従来の技術】
従来から、撮影レンズの主光軸方向の寸法を小さくした薄型カメラにおけるファインダが提案されている。
例えば、特許文献１，特許文献２には、可動レンズ群がすべて同一方向に移動する形態が示されている。
しかし、前述した特許文献１，特許文献２に記載の装置は、可動レンズ群がすべて同一方向に移動するため、可動群の配置可能な位置が制限され、小型化の障害となる場合があった。
また、特許文献３には、可動レンズ群間に反射面を設け、各可動レンズ群の光軸が直交した形態が示されている。この特許文献３に記載の光学系によれば、可動群間に反射面を設け、各可動レンズ群の光軸が直交していることから、可動レンズ群の配置に関して自由度が高く、カメラの小型化、特に撮影レンズ光軸方向の厚さを薄くすることに有効な配置であった。
【０００３】
【特許文献１】
特開平１０−３３３２１０号公報
【特許文献２】
特開２０００−３５２７４２号公報
【特許文献３】
特開平４−８６７３３号公報
【０００４】
【発明が解決しようとする課題】
しかし、可動群間に反射面を設け、各可動レンズ群の光軸が直交している場合、各可動レンズ群に駆動機構を設けたり、各可動レンズ群同士を連動させる機構を設けたりする必要があるが、上述の公報には、これらの具体的な機構についての開示はなく、実現することが困難であった。
また、上記特許文献３に記載の光学系をカメラのファインダに適用する場合、レンズ群の駆動方法の他に、群間隔の調整を行ったり、撮影光学系との位相合わせ（調整）を行ったりする必要があり、これらの手法についても、何ら具体的な技術の開示は行われていなかった。
【０００５】
本発明の課題は、可動レンズ群間に反射面を設けた光学系を駆動するレンズ駆動装置及びファインダを提供することである。
【０００６】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、第１光軸（Ａ１）を有し、前記第１光軸に略沿った方向に移動可能な第１可動レンズ（Ｌ１）と、前記第１可動レンズの光軸に対して角度を有して略交差する第２光軸（Ａ２）を有し、前記第２光軸に略沿った方向に移動可能な第２可動レンズ（Ｌ２）と、直進移動可能な部材であって、前記第１可動レンズを駆動するカム部（３０ａ）を有したカム部材（３０）と、を備え、前記カム部材の移動量は、前記第２可動レンズの移動量と等価又は比例関係にあること、を特徴とするレンズ駆動装置である。
【０００７】
請求項２の発明は、請求項１に記載のレンズ駆動装置において、前記カム部材（３０）は、前記第２可動レンズ（Ｌ２）の移動方向に対して傾斜した斜面（２３０ｂ）を有し、前記第２可動レンズを前記斜面に対して付勢する弾性部材（４０）を有すること、を特徴とするレンズ駆動装置である。
【０００８】
請求項３の発明は、請求項１に記載のレンズ駆動装置において、前記第２可動レンズ（Ｌ２）を前記第２可動レンズの移動方向に対して角度を持って前記カム部材に付勢（Ｑ）する弾性部材を有すること、を特徴とするレンズ駆動装置である。
【０００９】
請求項４の発明は、請求項１から請求項３までのいずれか１項に記載のレンズ駆動装置において、前記第２可動レンズ（Ｌ２）の光軸方向への移動を案内すると共に、前記カム部材（４３０）の移動をも案内するガイド軸（３６）を有すること、を特徴とするレンズ駆動装置である。
【００１０】
請求項５の発明は、請求項１から請求項４までのいずれか１項に記載のレンズ駆動装置において、前記第２可動レンズ（Ｌ２）を前記カム部材（４３０）に対して付勢する弾性部材（４４０）は、一端が前記第２可動レンズに支持され、もう一端が前記カム部材に支持されているばね部材であること、を特徴とするレンズ駆動装置である。
【００１１】
請求項６の発明は、撮影光学系（１）の撮影範囲に対応した範囲を観察するファインダであって、請求項１から請求項５までのいずれか１項に記載のレンズ駆動装置と、前記第１可動レンズ及び前記第２可動レンズを通過した像を観察可能にする接眼レンズ（Ｌ５）と、を備えるファインダである。
【００１２】
請求項７の発明は、請求項６に記載のファインダにおいて、前記レンズ駆動装置は、前記撮影光学系（１）を駆動する駆動モータ（３）と連動可能であって、前記第２可動レンズ（Ｌ２）の移動量と前記駆動モータの回転数とは、比例関係にあること、を特徴とするファインダである。
【００１３】
請求項８の発明は、請求項６又は請求項７に記載のファインダにおいて、前記カム部材（６３０）は、前記撮影光学系（１）の直進運動に連動する直進連動部材（６５１）と係合して前記カム部材を駆動する第２カム部（６３０ｈ）を有すること、を特徴とするファインダである。
【００１４】
請求項９の発明は、請求項６から請求項８までのいずれか１項に記載のファインダにおいて、前記カム部材は、前記第２可動レンズ（Ｌ２）との結合部（７５２ｂ，９５２ｂ）を有する第２カム部材（７５２，９５２）と、前記カム部（７５１ａ，９５１ａ）を有し前記第２カム部材に対して相対移動可能な第１カム部材（７５１，９５１）と、を有し、前記第１カム部材の前記相対移動方向は、前記第１可動レンズ（Ｌ１）の移動方向及び／又は前記第２可動レンズの移動方向に沿って移動可能であること、を特徴とするファインダである。
【００１５】
請求項１０の発明は、請求項９に記載のファインダにおいて、前記第１カム部材（７５１，９５１）と前記第２カム部材（７５２，９５２）との相対移動は、前記第１カム部材と前記第２カム部材との間に設けられた偏芯ピン（７５３，９５３）の回転により行われること、を特徴とするファインダである。
【００１６】
請求項１１の発明は、請求項６から請求項９までのいずれか１項に記載のファインダにおいて、前記カム部材は、前記第２可動レンズ（Ｌ２）との結合部を有する第２カム部材（１０５２）と、前記カム部（１０５１ａ）を有し、前記第２カム部材に対して相対移動可能な第１カム部材（１０５１）と、を有し、前記第１カム部材の移動量と前記第２カム部材との移動量が異なるように連動させるカム連動部材（１０５３）を有すること、を特徴とするファインダである。
【００１７】
請求項１２の発明は、請求項１１に記載のファインダにおいて、前記第１カム部材（１０５１）の移動量と前記第２カム部材（１０５２）の移動量が比例関係にあること、を特徴とするファインダである。
【００１８】
【発明の実施の形態】
以下、図面等を参照しながら、本発明の実施の形態について、更に詳しく説明する。
（第１実施形態）
図１は、本発明によるレンズ駆動装置及びファインダを設けたカメラの第１実施形態の外観を示す図である。
本実施形態におけるカメラは、撮影レンズ１により撮影した像を電子的に記録する、いわゆるデジタルスチルカメラである。
図２は、本実施形態における主要な構成部品のレイアウトを示す正面透視図である。
図３は、撮影レンズ１の光軸付近で切断した水平断面図である。
図４は、ファインダユニットＦ付近で切断した水平断面図である。
本実施形態におけるカメラは、撮影レンズ鏡筒１，前カバー２，鏡筒モータ３，第１ギア４，シャッタボタン５，コンデンサ６，電池７，鏡筒駆動機構８，固定筒９，カム筒１０，直進キー１１，シャッタユニット１２，レンズ保護ガラス１３，撮像素子１４，実装基板１５，後カバー１６，メモリーカード１７，第２ギア１８，フラッシュユニットＳ，ファインダユニットＦ等を備えている。
【００１９】
撮影レンズ鏡筒１は、撮影する像を後述の撮像素子１４に結像する撮影光学系を含んだユニットであり、鏡筒モータ３の駆動力により、カム筒１０が回転させられて、直進キー１１（後述）にガイドされて任意のズーム位置に繰り出すことができるようになっている。撮影レンズ鏡筒１には、そのほかに、シャッタユニット１２，レンズ保護ガラス１３等が設けられている。
【００２０】
前カバー２及び後カバー１６は、カメラの前後に被せられる外観部品であり、本実施形態におけるカメラは、この前カバー２及び後カバー１６内に収められている。
尚、以下の実施形態の説明中において、前後左右及び上下等の方向は、図中に適宜示した方向を示すものとする。
【００２１】
鏡筒モータ３は、撮影レンズ鏡筒１のズーミング駆動力を発生するモータである。鏡筒モータ３は、左端下部に配置されており、撮影レンズ鏡筒１から離れているが、鏡筒モータ３の回転軸には、第１ギア４が固定されており、鏡筒駆動機構８に含まれるギア列及び第２ギア１８を介してカム筒１０に駆動力が伝達される。
【００２２】
シャッタボタン５は、カメラ外観の上方左側に設けられている。
コンデンサ６は、左端に寄った位置に設けられており、鏡筒モータ３の上方に位置している。
電池７は、カメラの電源を供給する充電式の電源であり、撮影レンズ鏡筒１とコンデンサ６との間に位置している。
固定筒９は、撮影レンズ鏡筒１の一部であって、不図示のカメラ本体に固定されている。
【００２３】
カム筒１０は、鏡筒駆動機構８及び第２ギア１８を介して鏡筒モータ３の駆動力により回転する部材であり、固定筒９の内周に設けられているメスヘリコイドと螺合するオスヘリコイドが外周に設けられており、この螺合により、回転に伴いズーミングを行う。
直進キー１１は、カム筒１０に対して回転自在に取り付けられて、回転せずにカム筒１０と共に直進する部材である。直進キー１１には、直進キー押さえ板５０がビス止めされており、この直進キー押さえ板５０が固定筒９の不図示の固定筒キー溝に係合することにより、直進キー１１が固定筒９に対して回転することがないようになっている（第６実施形態における図１５に示した直進キー押さえ板６５０と固定筒キー溝６０９ａとの関係を参照）。
【００２４】
シャッタユニット１２は、不図示のシャッタ機構を備えたユニットであり、撮影レンズ鏡筒１と共に移動する。
レンズ保護ガラス１３は、カム筒１０の最前面に設けられ、レンズを保護する部材である。
【００２５】
撮像素子１４は、例えばＣＣＤ（Ｃｈａｒｇｅ  Ｃｏｕｐｌｅｄ  Ｄｅｖｉｃｅ）等により形成されており、実装基板１５に実装されている。
実装基板１５は、撮像素子１４その他の電子部品等を実装する基板であり、背面付近に設けられている。
【００２６】
メモリーカード１７は、撮像素子１４により撮像した画像のデータを記録する媒体であり、右端部分に設けられている。メモリーカード１７は、不図示のカード着脱口により着脱自在となっている。
【００２７】
第２ギア１８は、カム筒１０の外周に設けられているギア及びファインダカム３０のラック部３０ｒとかみ合い、カム筒１０の回転量に比例する回転がファインダカム３０の直進運動に変換される。
【００２８】
フラッシュユニットＳは、電池７の上方に配置されており、撮影時の補助照明光を閃光発光する装置であり、フラッシュ窓１９，反射傘２０，Ｘｅ管２１等を備えている。
【００２９】
フラッシュ窓１９は、フラッシュユニットＳの最前部に設けられ、フラッシュユニットＳの内部を保護すると共に、閃光の拡散を制御する役割も果たしている。
反射傘２０は、Ｘｅ管２１が発光する閃光を前方へ反射すると共に、その拡散を制御する反射板である。
Ｘｅ管２１は、コンデンサ６に蓄えられたエネルギを利用して閃光を発光する発光部である。
【００３０】
ファインダユニットＦは、撮影レンズ鏡筒１の上方に配置され、左右方向に長く配置されており、ファインダカム３０，ファインダ対物窓３１，ファインダ接眼窓３２，視野枠３３，ファインダブロック３４，第１可動レンズＬ１，第２可動レンズＬ２，第１固定レンズＬ３，第２固定レンズＬ４，第３固定レンズＬ５，第１プリズムＰ１，第２プリズムＰ２，ミラーＭ１等を備えている。
【００３１】
ファインダカム３０は、ファインダユニットＦの下部に設けられており、第２ギア１８とかみ合うラック部３０ｒを有している。ファインダカム３０は、後述するガイドピン３４ａ，３４ｂによって撮影レンズ鏡筒１の光軸と直交する方向に摺動可能に案内され、カム押さえ板３７で保持されている（図５，８参照）。
【００３２】
ファインダ対物窓３１は、ファインダユニットＦの前方に設けられた保護部材である。
ファインダ接眼窓３２は、ファインダユニットＦの後方に設けられた保護部材である。
視野枠３３は、ファインダの視野を規定する部材であり、第２固定レンズＬ４と第１プリズムＰ１との間に設けられている。
【００３３】
ファインダブロック３４は、ファインダユニットＦの土台となるブロックであり、ファインダユニットＦの周りを囲むように形成されている。
【００３４】
第１可動レンズＬ１は、撮影レンズ鏡筒１の光軸に沿った方向に光軸（第１光軸Ａ１）を有し、後述する機構により、第１光軸Ａ１に沿った方向（矢印Ｙの方向：前後方向）に移動可能なレンズである。
【００３５】
第２可動レンズＬ２は、第１可動レンズＬ１の第１光軸Ａ１と略直交する第２光軸Ａ２を有し、後述する機構により、第２光軸Ａ２に沿った方向（矢印Ｘの方向：左右方向）に移動可能なレンズである。
ファインダユニットＦは、第１可動レンズＬ１及び第２可動レンズＬ２が、ファインダカム３０の移動に応じてそれぞれ矢印Ｙ，Ｘの方向（前後方向，左右方向）に移動することにより、変倍（ズーム）することができる。
【００３６】
第１固定レンズＬ３，第２固定レンズＬ４は、第２可動レンズＬ２と第１プリズムＰ１との間に設けられ、ファインダブロック３４に固定されたレンズである。
第３固定レンズＬ５は、第１プリズムＰ１及び第２プリズムＰ２の後にあって、これらにより正立された像を拡大する接眼レンズである。
【００３７】
第１プリズムＰ１及び第２プリズムＰ２は、第１可動レンズＬ１，第２可動レンズＬ２，第１固定レンズＬ３，第２固定レンズＬ４により得られた像を正立させると共に、第３固定レンズＬ５の方向へ光路を曲げる役割を果たしている。第１プリズムＰ１は、ダハプリズムであって第２プリズムＰ２との間には、微少な隙間が空いている。
【００３８】
ミラーＭ１は、第１可動レンズＬ１の第１光軸Ａ１と第２可動レンズＬ２の第２光軸Ａ２とが交差する付近に設けられ、第１可動レンズＬ１を通過した像を第２可動レンズＬ２の方向へ反射する反射部であり、ファインダブロック３４に固定されている。
【００３９】
図５（ａ），（ｂ）は、図４におけるファインダユニットの断面ＡＡ，断面ＢＢを示す図である。
図６は、ファインダユニットＦのガイド軸付近の高さにおける水平断面を示す図である。
図７（ａ），（ｂ）は、ファインダカム３０の各ズーム端の様子を示す図である。
ファインダユニットＦには、上述した他に、第１カム部３０ａ，当接部３０ｂ，ガイド溝３０ｃ，３０ｄ，逃げ溝３０ｅ，ガイドピン３４ａ，ガイドピン３４ｂ，ビス止め部３４ｃ，第１回転止め溝３４ｄ，第２回転止め溝３４ｅ，第１ガイド軸３５，第２ガイド軸３６，カム押さえ板３７，ビス３８，第１付勢ばね３９，第２付勢ばね４０，第１フォロアピンＬ１ａ，第１回転止めピンＬ１ｂ，第１嵌合部Ｌ１ｃ，第２フォロアピンＬ２ａ，第２回転止めピンＬ２ｂ，第２嵌合部Ｌ２ｃ等を備えている。
【００４０】
第１カム部３０ａは、ファインダカム３０に設けられているカム溝であり、第１可動レンズＬ１に設けられている第１フォロアピンＬ１ａが係合している。
当接部３０ｂは、ファインダカム３０に設けられている面であり、第２可動レンズＬ２に設けられている第２フォロアピンＬ２ａが後述する第２付勢ばね４０により当てつけられている。
また、ファインダカム３０には、逃げ溝３０ｅが形成されており、ファインダブロック３４のビス止め部３４ｃを逃げるようになっている。
【００４１】
ガイドピン３４ａ，３４ｂは、ファインダブロック３４の下面に形成されたピンであり、それぞれファインダカム３０に形成されているガイド溝３０ｃ，３０ｄに係合して、ファインダカム３０の移動をガイドしている。
【００４２】
第１回転止め溝３４ｄ及び第２回転止め溝３４ｅは、それぞれ、第１可動レンズＬ１の光軸及び第２可動レンズＬ２の光軸に沿った方向に延在する溝である。
第１回転止め溝３４ｄ及び第２回転止め溝３４ｅは、第１回転止めピンＬ１ｂ，第２回転止めピンＬ２ｂと係合して、第１可動レンズＬ１及び第２可動レンズＬ２が後述する第１ガイド軸３５及び第２ガイド軸３６まわりに回転することを規制する。
【００４３】
第１ガイド軸３５は、ファインダブロック３４に保持され、第１可動レンズＬ１の光軸に沿った方向に延在している軸である。第１ガイド軸３５は、第１可動レンズＬ１に設けられた第１嵌合部Ｌ１ｃと嵌合して、第１可動レンズＬ１の直進移動をガイドする。
【００４４】
第２ガイド軸３６は、ファインダブロック３４に保持され、第２可動レンズＬ２の光軸に沿った方向に延在している軸である。第２ガイド軸３６は、第２可動レンズＬ２に設けられた第２嵌合部Ｌ２ｃと嵌合して、第２可動レンズＬ２の直進移動をガイドする。
【００４５】
カム押さえ板３７は、ファインダカム３０をファインダブロック３４に移動可能に保持する部材である。カム押さえ板３７は、ガイドピン３４ａ，３４ｂにより位置決めされ、ファインダブロック３４に形成されている３箇所のビス止め部３４ｃにおいて、ビス３８により固定されている。
【００４６】
第１付勢ばね３９は、第１可動レンズＬ１に設けられた第１嵌合部Ｌ１ｃとファインダブロック３４との間に設けられた圧縮コイルばねであり、第１可動レンズＬ１を前側に付勢しており、したがって、第１可動レンズＬ１に設けられた第１フォロアピンＬ１ａは、第１カム部３０ａの前側に当て付くこととなる。
【００４７】
第２付勢ばね４０は、第２可動レンズＬ２に設けられた第２嵌合部Ｌ２ｃとファインダブロック３４との間に設けられた圧縮コイルばねであり、第２可動レンズＬ２を右側に付勢しており、したがって、第２可動レンズＬ２に設けられた第２フォロアピンＬ２ａは、当接部３０ｂに当て付くこととなる。
【００４８】
図８は、第２可動レンズＬ２，ファインダカム３０の移動量と移動方向の関係を示した図である。なお、図８中に示す矢印方向は、ファインダカム３０の移動方向を示すものとする。
本実施形態では、第２可動レンズＬ２の光軸方向とファインダカム３０の移動方向が一致しているため、第２可動レンズＬ２の移動量とファインダカム３０の移動量は等しくなっている〔図８（ａ）〕。
しかし、仮に、第２可動レンズＬ２の光軸とファインダカム３０の移動方向がθの角度をなす場合〔図８（ｂ），（ｃ）〕、第２可動レンズＬ２の光軸方向の移動量は、ファインダカム３０の移動量の１／ｃｏｓθ倍となる。
【００４９】
図９は、図６に示したＣＣ断面を示す図である。
ファインダカム３０は、カムフリクションばね４１により押さえられており、所定以上の駆動力を与えなければ移動することがないようになっている。したがって、ファインダカム３０の自重や衝撃などによりがたつくことを防止している。
【００５０】
本実施形態によれば、薄型のファインダを、簡単な構成により実現することができる。
また、単一のカム部材であるファインダカム３０により２つの可動群を駆動し、さらに、カムによる可動レンズの間隔精度は、第１カム部３０ａと当接部３０ｂとの位置関係で決まるので、当接面の位置を高精度に仕上げることにより、高い精度を保つことができる。
ファインダカム３０単品での精度確保は、一般に見られる２つのカム面の位置あわせよりも容易であり、したがって、本実施形態によれば、容易に精度の高いファインダを得ることができる。
【００５１】
（第２実施形態）
第２〜第１０実施形態は、第１実施形態の一部を改良した形態であり、第１実施形態と同様の機能を果たす部分には、同一の符号を付して、重複する説明を適宜省略する。
第２実施形態は、第１実施形態におけるファインダカム３０の当接部３０ｂを改良したファインダカム２３０とした点が第１実施形態と異なっている。
図１０は、第２実施形態を示す図である。図１０（ａ）は、第２フォロアピンＬ２ａがファインダカム２３０の当接部２３０ｂと当接している状態を示しており、図１０（ｂ）は、第１実施形態における図５（ｂ）に対応する図である。
【００５２】
第１実施形態では、第２可動レンズＬ２の光軸方向に対して当接面を垂直に設けており、部品精度によるファインダカム３０の第１可動レンズＬ１の光軸方向への位置のばらつきによる影響を抑えることができている。
しかし、その反面、第２ガイド軸３６を中心にＬ２が回転する方向への付勢がないため、振動などで回転方向へ力を受けた場合、第２回転止めピンＬ２ｂと第２回転止め溝３４ｅとの間のガタ分だけ回転することがあり、その結果、ファインダ像が揺れるおそれがある。
【００５３】
そこで、第２実施形態では、第２可動レンズＬ２の付勢は、光軸方向で変わりはないが、第２フォロアピンＬ２ａとファインダカム２３０との当接面を傾斜させた斜面である当接部２３０ｂとした。
このように、当接部２３０ｂを第２可動レンズＬ２光軸方向に対して斜面としたことにより、抗力の分力Ｐが第２ガイド軸３６まわりに第２可動レンズＬ２を回転させる方向に付勢力として働くようにしている。これにより、振動などによる第２可動レンズＬ２の回転を軽減させることができる。
【００５４】
（第３実施形態）
第３実施形態は、第１実施形態におけるファインダカム３０の当接部３０ｂを改良したファインダカム３３０とし、第１実施形態における第２付勢ばね４０により与えていた付勢力の作用する方向を変更した点が第１実施形態と異なっている。
図１１は、第３実施形態を示す図である。図１１（ａ）は、第２フォロアピンＬ２ａがファインダカム３３０の当接部３３０ｂと当接している状態を示しており、図１１（ｂ）は、第２フォロアピンＬ２ａに作用する力を示した図であり、図１１（ｃ）は、第１実施形態における図５（ｂ）に対応する図である。
【００５５】
ファインダカム３３０の当接部３３０ｂは、略Ｕ字形状の切り欠きにより形成され、実際に第２フォロアピンＬ２ａが当接する面は、第２可動レンズＬ２の光軸方向に対して垂直となっている。
また、第３実施形態では、第１実施形態における第２付勢ばね４０の代わりに不図示のばねにより、図１１に示す矢印Ｑ方向に第２フォロアピンＬ２ａが付勢されている。この矢印Ｑ方向に付勢すると、ばねの力の分力ｑ１は、摩擦力ｆよりも十分大きいので、第２実施形態と同様に、ガイド軸２周りにＬ２を回転させる方向に付勢力が働き、第２実施形態と同様な効果を奏することができる。
【００５６】
（第４実施形態）
第４実施形態は、第１実施形態におけるファインダカム３０のガイド方法を改良したファインダカム４３０とし、第１実施形態における第２付勢ばね４０の支持位置を変更した第２付勢ばね４４０とした点、及び、第１実施形態におけるファインダブロック３４のガイドピン３４ａ，３４ｂを廃止したファインダブロック４３４とした点が第１実施形態と異なっている。
【００５７】
図１２は、第４実施形態を示す図であり、第１実施形態における図６に対応する図である。
本実施形態では、ガイド軸２に挿通可能なガイド部４３０ｆをファインダカム４３０に形成している。このようにすることによって、第１カム部４３０ａと第２可動レンズＬ２の光軸との位置精度が高まる。また、第１実施形態におけるカム押さえ板３７も省略可能であり、部品点数を削減することができる。
さらに、第２付勢ばね４４０をファインダカム４３０のガイド部４３０ｆの一方と第２可動レンズＬ２の第２嵌合部Ｌ２ｃとの間に取り付けることによって、ズーミング時のばね負荷変動を無くすることができる。
【００５８】
図１３は、第４実施形態のファインダカム４３０を示す図である。
本実施形態におけるファインダカム４３０では、ガイド部４３０ｆを形成するために、当接部４３０ａを切り欠きにより形成している。また、当接部４３０ａの当接面は、第２実施形態と同様に、第２可動レンズＬ２の光軸に対して斜面としている。
【００５９】
（第５実施形態）
第５実施形態は、第１実施形態におけるファインダカム３０に第２付勢ばねを受けるばね受け部５３０ｇを設けたファインダカム５３０とし、第１実施形態における第２付勢ばね４０を第２付勢ばね５４０とした点が第１実施形態と異なっている。
図１４は、第５実施形態を示す図である。
ファインダカム５３０には、ばね受け部５３０ｇを第２ガイド軸３６の近傍に設けている。なお、ばね受け部５３０ｇは、第２ガイド軸３６との間に十分な隙間が設けられており、ファインダカム５３０のガイドは、第１実施形態と同様にファインダブロック３４のガイドピン３４ａ，３４ｂ２より行われる。
【００６０】
このように、本実施形態によれば、第４実施形態のようなファインダカムの位置決め方法としなくても、第２付勢ばね５４０をファインダカム５３０と第２可動レンズＬ２との間に配置することができ、ズーミング時のばね長の変化による負荷変動はなくなり、ばね力を必要以上に大きくすることなく、ファインダユニットＦを形成することができる。
【００６１】
（第６実施形態）
第６実施形態は、第１実施形態におけるファインダカム３０への駆動力伝達方法を変更した点が第１実施形態と異なる形態である。
図１５は、第６実施形態を撮影レンズ鏡筒の光軸付近で切断した縦断面である。
第１実施形態において説明したように、鏡筒モータ３の駆動力は、鏡筒駆動機構８によって伝達され、カム筒１０が回転する。カム筒１０は、回転にすると固定筒６０９とヘリコイド嵌合しているため、回転しながら直進する。直進キー１１は、カム筒１０に対して回転自在に取り付けられているため、回転せずにカム筒１０と一体に直進する。直進キー押さえ板６５０も直進キー１１と同様に回転せずにカム筒１０と一体に直進する。直進キー押さえ板６５０が固定筒キー溝６０９ａに係合しており、直進キー１１は、回転することがない。また、直進キー押さえ板６５０には、連動ピン６５１が設けられ、ファインダカム６３０の第２カム部６３０ｈと係合している。
【００６２】
図１６は、固定筒キー溝６０９ａ付近を上方から見た図である。
図１７は、本実施形態のファインダカム６３０を示す図である。
連動ピン６５１は、第２カム部６３０ｈと係合し、連動ピン６５１の直進運動により、ファインダカム６３０がＬ２光軸と同じ方向（左右方向）に移動する。
本実施形態では、第１〜第５実施形態とは違って、第２カム部６３０ｈを非線形のカムとすれば、ファインダカム６３０の移動量とカム筒１０の回転角とを比例関係にする必要が無くなり、設計の自由度を高くすることができる。
【００６３】
（第７実施形態）
以上までに示したファインダユニットＦのように、可動レンズ間に反射面をおき、光路を曲げる場合、可動レンズ同士の間隔は、ミラーやプリズムの反射面の位置精度が、偏芯と間隔の精度に影響を及ぼす。したがって、小型化や高倍率化により位置精度の厳しい光学系では、何らかの調整方法がある方が望ましい場合が多い。また、通常のファインダと同様に、撮影レンズの焦点距離との位相あわせが必要になることもある。以下に示す第７〜第９実施形態では、これらの調整方法を含む形態を示している。
【００６４】
第７実施形態は、第１実施形態におけるファインダカム３０を２部品（第１ファインダカム７５１，第２ファインダカム７５２）により形成し、第１可動レンズＬ１と第２可動レンズＬ２との光学的な間隔を変更可能とした点が、第１実施形態と異なっている。
図１８は、第７実施形態を示す図である。図１８（ａ）は、取り付け状態を示し、図１８（ｂ）は、第２ファインダカム７５２単体を示し、図１８（ｃ）は、第１ファインダカム７５１単体を示している。
図１９は、第１ファインダカム７５１，第２ファインダカム７５２をファインダブロック３４に取り付けた状態の縦断面である。
上述のように、本実施形態では、第１実施形態におけるファインダカム３０を、第１カム部７５１ａを有する第１ファインダカム７５１と、当接部７５２ｂを有する第２ファインダカム７５２との２部品により形成している。
【００６５】
第１ファインダカム７５１は、第１カム部７５１ａ，ガイド溝７５１ｃ，７５１ｄ，逃げ溝７５１ｅ，偏芯ピン回転中心穴７５１ｆ等を有している。
第１カム部７５１ａ，ガイド溝７５１ｃ，７５１ｄ，逃げ溝７５１ｅは、第１実施形態における第１カム部３０ａ，ガイド溝３０ｃ，３０ｄ，逃げ溝３０ｅと同様な部分である。偏芯ピン回転中心穴７５１ｆは、偏芯ピン７５３の回転軸部７５３ａが嵌合する穴である。また、第１ファインダカム７５１は、図１８における裏面側に、不図示のラック部が第１実施形態におけるファインダカム３０と同様に設けられている。
【００６６】
第２ファインダカム７５２は、当接部７５２ｂ，ガイド溝７５２ｃ，７５２ｄ，逃げ溝７５２ｅ，偏芯ピン係合部７５２ｆ等を備えている。
当接部７５２ｂ，ガイド溝７５２ｃ，７５２ｄ，逃げ溝７５２ｅは、第１実施形態における当接部３０ｂ，ガイド溝３０ｃ，３０ｄ，逃げ溝３０ｅと同様な部分である。偏芯ピン係合部７５２ｆは、偏芯ピン７５３の偏芯頭部７５３ｂが係合する部分である。
偏芯ピン７５３は、２種類の略円柱形状をした回転軸部７５３ａと偏芯頭部７５３ｂとが、互いの円柱中心軸をずらして一体となっているピンである。
【００６７】
以上のような形態とすることにより、第１ファインダカム７５１と第２ファインダカム７５２との相対的な左右方向の位置は、偏芯ピン７５３の回転位置に応じて、変化することとなる。撮影レンズ鏡筒１の回転位置に対して、第１ファインダカム７５１は、第２ギア１８及び不図示のラック部を介して位置が決まる。
一方、第２ファインダカム７５２は、上述のように偏芯ピン７５３の回転位置に応じて第１ファインダカム７５１に対する位置が異なる。よって、偏芯ピン７５３を回転することにより、第１ファインダカム７５１と第２ファインダカム７５２は、第２可動レンズＬ２の光軸方向への相対移動が可能である。この相対移動を行うことにより、図４に示した距離Ｄ２を調整することができ、視度（対物光学系のピント位置）を調整することができる。
【００６８】
（第８実施形態）
第８実施形態は、第１実施形態におけるファインダカム３０を２部品（第１ファインダカム８５１，第２ファインダカム８５２）により形成し、第１可動レンズＬ１と第２可動レンズＬ２との光学的な間隔を変更可能とした点が、第１実施形態と異なっている。
図２０は、第８実施形態を示す図である。図２０（ａ）は、取り付け状態を示し、図２０（ｂ）は、第２ファインダカム８５２単体を示し、図２０（ｃ）は、第１ファインダカム８５１単体を示している。
【００６９】
第１ファインダカム８５１は、ガイド溝８５１ｃ，ガイド溝８５１ｄ，逃げ溝８５１ｅ，偏芯ピン係合部８５１ｆ，ラック部８５１ｒ等を有している。
第２ファインダカム８５２は、第１カム部８５２ａ，当接部８５２ｂ，ガイド溝８５２ｃ，ガイド溝８５２ｄ，逃げ溝８５２ｅ，偏芯ピン回転中心穴８５２ｆ等を有している。
【００７０】
第１ファインダカム８５１，第２ファインダカム８５２の各部及び偏芯ピン８５３は、第７実施形態における第１ファインダカム７５１，第２ファインダカム７５２の各部及び偏芯ピン７５３と同様な形態をしているが、第１カム部８５２ａと当接部８５２ｂがいずれも第２ファインダカム８５２に設けられており、ラック部８５１ｒが第１ファインダカム８５１に設けられている点が第７実施形態と大きく異なる。
【００７１】
このようにラック部８５１ｒと第１カム部８５２ａと当接部８５２ｂとを別部品に形成することにより、第１可動レンズＬ１及び第２可動レンズＬ２とラック部８５１ｒとの相対的な位置関係を変更することができる。したがって、偏芯ピン８５３を回転することにより、撮影レンズ鏡筒１の焦点距離とファインダユニットＦの焦点距離との位相関係を調整することができる。
【００７２】
（第９実施形態）
第９実施形態は、第１実施形態におけるファインダカム３０を２部品（第１ファインダカム９５１，第２ファインダカム９５２）により形成し、第１可動レンズＬ１と第２可動レンズＬ２との光学的な間隔を変更可能とした点が、第１実施形態と異なっている。本実施形態は、第７実施形態に示した例と同様な効果を奏するものであるが、第７実施形態が図４に示した距離Ｄ２を調整していた部分を、本実施形態では距離Ｄ１を調整するようにしている。
【００７３】
図２１は、第９実施形態を示す図である。図２１（ａ）は、取り付け状態を示し、図２１（ｂ）は、第２ファインダカム９５２単体を示し、図２１（ｃ）は、第１ファインダカム９５１単体を示している。
第１ファインダカム９５１は、第１カム部９５１ａ，ガイド溝９５１ｃ，９５１ｄ，逃げ溝９５１ｅ，偏芯ピン係合部９５１ｆ，前後方向ガイド溝９５１ｇ等を有している。
【００７４】
第１カム部９５１ａ，ガイド溝９５１ｃ，９５１ｄ，逃げ溝９５１ｅは、第１実施形態における第１カム部３０ａ，ガイド溝３０ｃ，３０ｄ，逃げ溝３０ｅと同様な部分である。偏芯ピン係合部９５２ｆは、偏芯ピン９５３の偏芯頭部９５３ｂが係合する部分である。前後方向ガイド溝９５１ｇは、前後方向ガイドピン９５２ｇが係合し、第１ファインダカム９５１と第２ファインダカム９５２との相対移動方向を、前後方向に規制する溝である。また、第１ファインダカム９５１は、図２１における裏面側に、不図示のラック部が第１実施形態におけるファインダカム３０と同様に設けられている。
【００７５】
第２ファインダカム９５２は、当接部９５２ｂ，第１逃げ溝９５２ｃ，第２逃げ溝９５２ｄ，偏芯ピン回転中心穴７５２ｆ，前後方向ガイドピン９５２ｇ等を備えている。
当接部９５２ｂは、第１実施形態における当接部３０ｂと同様な部分である。
第１逃げ溝９５２ｃは、ファインダブロック３４のガイドピン３４ａ，３４ｂを逃げる溝である。第２逃げ溝９５２ｄは、ファインダブロック３４のビス止め部３４ｃを逃げる溝である。偏芯ピン回転中心穴９５２ｆは、偏芯ピン９５３の回転軸部９５３ａが嵌合する穴である。前後方向ガイドピン９５２ｇは、上述したように、前後方向ガイド溝９５１ｇと係合するピンである。
偏芯ピン９５３は、第７実施形態における偏芯ピン７５３と同様な部材である。
【００７６】
第７実施形態が第２可動レンズＬ２の光軸方向に２つに分けた第１ファインダカム７５１と第２ファインダカム７５２の相対位置を左右方向で調整可能に構成したのに対して、本実施形態では、前後方向ガイドピン９５２ｇに沿って第１の可動レンズＬ１の光軸方向に調整可能に構成している。したがって、図４に示した距離Ｄ１を調整することになり、視度（対物光学系のピント位置）を調整することができる。
【００７７】
（第１０実施形態）
第１０実施形態は、第１実施形態におけるファインダカム３０を２部品（第１ファインダカム１０５１，第２ファインダカム１０５２）により形成し、さらに、これら２部品の移動を一体とせずに、移動量が異なるようにした点が、第１実施形態と異なっている。
図２２は、第１０実施形態を示す図である。図２２（ａ）は、取り付け状態を示し、図２２（ｂ）は、第２ファインダカム１０５２単体を示し、図２１（ｃ）は、第１ファインダカム１０５１単体を示している。
図２３は、第１０実施形態の第３ギア１０５３付近の縦断面を示す図である。
【００７８】
本実施形態におけるファインダユニットＦは、第１ファインダカム１０５１と第２ファインダカム１０５２とを左右方向に相対移動可能にし、この相対移動を第３ギア１０５３により連動させている。第１ファインダカム１０５１と第２ファインダカム１０５２とを左右方向に相対移動可能にしている部分については、第７実施形態と同様であるので、ここでは、これらを連動させる第３ギア１０５３まわりについて説明する。
【００７９】
第１ファインダカム１０５１は、第１カム部１０５１ａを有しており、ラック部１０５１ｒが第２ギア１８から駆動力を得て、左右方向に移動可能である。第１ファインダカム１０５１が左右方向に移動すると、第１連動ラック１０５１ｈとかみ合う第３ギア１０５３が回転する。
【００８０】
第３ギア１０５３は、大ギア１０５３ａと小ギア１０５３ｂとを有した２段ギアであり、第１連動ラック１０５１ｈには、大ギア１０５３ａがかみ合っている。第３ギア１０５３の回転は、小ギア１０５３ｂを介して減速されて第２連動ラック１０５２ｈに伝えられ、第２ファインダカム１０５２が左右方向に移動する。このときの第２ファインダカム１０５２の移動量は、第１ファインダカム１０５１の移動量よりも大ギア１０５３ａと小ギア１０５３ｂとの歯数比分だけ少なくなっている。
【００８１】
第２ファインダカム１０５２には、当接部１０５２ｂが設けられており、第２可動レンズＬ２が当てつけられている。したがって、第１可動レンズＬ１の移動量と第２可動レンズＬ２の移動量を異ならせることができる。本実施形態では、第１ファインダカム１０５１の移動量を第２ファインダカム１０５２の移動量より大きくしているので、第１カム部１０５１ａの傾斜を寝かせることができ、第１可動レンズＬ１の動作を容易にすることができる。
なお、ラック部１０５１ｒは、第２ファインダカム１０５２に設けてもよい。
【００８２】
（変形形態）
以上説明した実施形態に限定されることなく、種々の変形や変更が可能であって、それらも本発明の均等の範囲内である。
例えば、各実施形態において、デジタルスチルカメラの場合を例に挙げて、本発明を説明したが、これに限らず、例えば、従来からのフィルムを用いる銀塩カメラであってもよいし、カメラ以外の光学機器に本発明を適用してもよい。
【００８３】
【発明の効果】
以上詳しく説明したように、本発明によれば、以下の効果を奏することができる。
（１）第１可動レンズを駆動するカム部を有したカム部材を備え、カム部材の移動量は、第２可動レンズの移動量と等価又は比例関係にあるので、簡単な構成で、薄型のレンズ駆動装置を実現することができる。
【００８４】
（２）カム部材は、第２可動レンズの移動方向に対して傾斜した斜面を有し、第２可動レンズを斜面に対して付勢する弾性部材を有するので、第２可動レンズの揺れを防止することができる。
【００８５】
（３）第２可動レンズを第２可動レンズの移動方向に対して角度を持ってカム部材に付勢する弾性部材を有するので、第２可動レンズの揺れを防止することができる。
【００８６】
（４）第２可動レンズの光軸方向への移動を案内すると共に、カム部材の移動をも案内するガイド軸を有するので、精度良く可動レンズを駆動することができる。
【００８７】
（５）第２可動レンズをカム部材に対して付勢する弾性部材は、一端が第２可動レンズに支持され、もう一端がカム部材に支持されているばね部材であるので、ばね力を一定に保つことができ、ばね部材のばね力を小さな力で使用することができる。
【００８８】
（６）請求項１から請求項５までのいずれか１項に記載のレンズ駆動装置と、第１可動レンズ及び第２可動レンズを通過した像を観察可能にする接眼レンズと、を備えるファインダであるので、簡単な構造で、薄型のカメラを実現することができる。
【００８９】
（７）第２可動レンズの移動量と駆動モータの回転数とは、比例関係にあるので、撮影光学系の移動量と第２可動レンズの移動量とを容易に対応させることができる。
【００９０】
（８）カム部材は、撮影光学系の直進運動に連動する直進連動部材と係合してカム部材を駆動する第２カム部を有するので、撮影光学系の直進運動から直接ファインダを駆動することができる。また、第２カム部を非線形なカムとすることにより、ファインダレンズの設計をより自由に行うことができる。
【００９１】
（９）第１カム部材の相対移動方向は、第１可動レンズの移動方向及び／又は第２可動レンズの移動方向に沿って移動可能であるので、第１可動レンズと第２可動レンズとの間隔を調整することができる。
【００９２】
（１０）第１カム部材と第２カム部材との相対移動は、第１カム部材と第２カム部材との間に設けられた偏芯ピンの回転により行われるので、微妙な調整を容易に行うことができる。
【００９３】
（１１）第１カム部材の移動量と第２カム部材との移動量が異なるように連動させるカム連動部材を有するので、ファインダ光学系の設計の自由度を高くすることができる。
【００９４】
（１２）第１カム部材の移動量と第２カム部材の移動量が比例関係にあるので、簡単な構造にすることができる。
【図面の簡単な説明】
【図１】本発明によるレンズ駆動装置及びファインダを設けたカメラの第１実施形態の外観を示す図である。
【図２】本実施形態における主要な構成部品のレイアウトを示す正面透視図である。
【図３】撮影レンズ１の光軸付近で切断した水平断面図である。
【図４】ファインダユニットＦ付近で切断した水平断面図である。
【図５】図４におけるファインダユニットの断面ＡＡ，断面ＢＢを示す図である。
【図６】ファインダユニットＦのガイド軸付近の高さにおける水平断面を示す図である。
【図７】ファインダカム３０の各ズーム端の様子を示す図である。
【図８】第２可動レンズＬ２，ファインダカム３０の移動量と移動方向の関係を示した図である。
【図９】図６に示したＣＣ断面を示す図である。
【図１０】第２実施形態を示す図である。
【図１１】第３実施形態を示す図である。
【図１２】第４実施形態を示す図であり、第１実施形態における図６に対応する図である。
【図１３】第４実施形態のファインダカム４３０を示す図である。
【図１４】第５実施形態を示す図である。
【図１５】第６実施形態を撮影レンズ鏡筒の光軸付近で切断した縦断面である。
【図１６】固定筒キー溝６０９ａ付近を上方から見た図である。
【図１７】本実施形態のファインダカム６３０を示す図である。
【図１８】第７実施形態を示す図である。
【図１９】第１ファインダカム７５１，第２ファインダカム７５２をファインダブロック３４に取り付けた状態の縦断面である。
【図２０】第８実施形態を示す図である。
【図２１】第９実施形態を示す図である。
【図２２】第１０実施形態を示す図である。
【図２３】第１０実施形態の第３ギア１０５３付近の縦断面を示す図である。
【符号の説明】
１  撮影レンズ鏡筒
２  前カバー
３  鏡筒モータ
４  第１ギア
５  シャッタボタン
６  コンデンサ
７  電池
８  鏡筒駆動機構
９  固定筒
１０  カム筒
１１  直進キー
１２  シャッタユニット
１３  レンズ保護ガラス
１４  撮像素子
１５  実装基板
１６  後カバー
１７  メモリーカード
１８  第２ギア
１９  フラッシュ窓
２０  反射傘
２１  Ｘｅ管
３０  ファインダカム
３０ａ  第１カム部
３０ｂ  当接部
３０ｃ  ガイド溝
３０ｄ  ガイド溝
３０ｅ  逃げ溝
３０ｒ  ラック部
３１  ファインダ対物窓
３２  ファインダ接眼窓
３３  視野枠
３４  ファインダブロック
３４ａ  ガイドピン
３４ｂ  ガイドピン
３４ｃ  ビス止め部
３４ｄ  第１回転止め溝
３４ｅ  第２回転止め溝
３５  第１ガイド軸
３６  第２ガイド軸
３７  カム押さえ板
３８  ビス
３９  第１付勢ばね
４０  第２付勢ばね
４１  カムフリクションばね
５０，６５０  直進キー押さえ板
２３０  ファインダカム
２３０ｂ  当接部
３３０  ファインダカム
３３０ｂ  当接部
４３０  ファインダカム
４３０ａ  第１カム部
４３０ｆ  ガイド部
４４０  第２付勢ばね
４３４  ファインダブロック
５０３  ファインダカム
５３０ｇ  ばね受け部
５４０  第２付勢ばね
６０９  固定筒
６０９ａ  固定筒キー溝
６３０  ファインダカム
６３０ｈ  第２カム部
７５１  第１ファインダカム
７５１ａ  第１カム部
７５１ｃ  ガイド溝
７５１ｄ  ガイド溝
７５１ｅ  逃げ溝
７５１ｆ  偏芯ピン回転中心穴
７５２  第２ファインダカム
７５２ｂ  当接部
７５２ｃ  ガイド溝
７５２ｄ  ガイド溝
７５２ｅ  逃げ溝
７５２ｆ  偏芯ピン係合部
７５３  偏芯ピン
８５１  第１ファインダカム
８５１ｃ  ガイド溝
８５１ｄ  ガイド溝
８５１ｅ  逃げ溝
８５１ｆ  偏芯ピン係合部
８５１ｒ  ラック部
８５２  第２ファインダカム
８５２ａ  第１カム部
８５２ｂ  当接部
８５２ｃ  ガイド溝
８５２ｄ  ガイド溝
８５２ｅ  逃げ溝
８５２ｆ  偏芯ピン回転中心穴
８５３  偏芯ピン
９５１  第１ファインダカム
９５１ａ  第１カム部
９５１ｃ  ガイド溝
９５１ｄ  ガイド溝
９５１ｅ  逃げ溝
９５１ｆ  偏芯ピン係合部
９５１ｇ  前後方向ガイド溝
９５２  第２ファインダカム
９５２ｂ  当接部
９５２ｃ  第１逃げ溝
９５２ｄ  第２逃げ溝
９５２ｆ  偏芯ピン回転中心穴
９５２ｇ  前後方向ガイドピン
９５３  偏芯ピン
１０５１  第１ファインダカム
１０５１ａ  第１カム部
１０５１ｈ  第１連動ラック
１０５１ｒ  ラック部
１０５２  第２ファインダカム
１０５２ｂ  当接部
１０５２ｈ  第２連動ラック
１０５３  第３ギア
１０５３ａ  大ギア
１０５３ｂ  小ギア
Ｓ  フラッシュユニット
Ｆ  ファインダユニット
Ｌ１  第１可動レンズ
Ｌ１ａ  第１フォロアピン
Ｌ１ｂ  第１回転止めピン
Ｌ１ｃ  第１嵌合部
Ｌ２  第２可動レンズ
Ｌ２ａ  第２フォロアピン
Ｌ２ｂ  第２回転止めピン
Ｌ２ｃ  第２嵌合部
Ｌ３  第１固定レンズ
Ｌ４  第２固定レンズ
Ｌ５  第３固定レンズ
Ｐ１  第１プリズム
Ｐ２  第２プリズム
Ｍ１  ミラー
【図１】
2004212708.tif 000003
【図２】
2004212708.tif 000004
【図３】
2004212708.tif 000005
【図４】
2004212708.tif 000006
【図５】
2004212708.tif 000007
【図６】
2004212708.tif 000008
【図７】
2004212708.tif 000009
【図８】
2004212708.tif 000010
【図９】
2004212708.tif 000011
【図１０】
2004212708.tif 000012
【図１１】
2004212708.tif 000013
【図１２】
2004212708.tif 000014
【図１３】
2004212708.tif 000015
【図１４】
2004212708.tif 000016
【図１５】
2004212708.tif 000017
【図１６】
2004212708.tif 000018
【図１７】
2004212708.tif 000019
【図１８】
2004212708.tif 000020
【図１９】
2004212708.tif 000021
【図２０】
2004212708.tif 000022
【図２１】
2004212708.tif 000023
【図２２】
2004212708.tif 000024
【図２３】
2004212708.tif 000025